(57)【特許請求の範囲】
【請求項１】
シール材を介してハウジング内に濾過体を気密かつ液密状態で隔離して収納した二以上のフィルタを、
被処理流体を前記濾過体の一端部側から前記濾過体内へ流入させ、かつ前記濾過体の側面を経由して前記ハウジングとの間に配設した流出経路から流出させて前記被処理流体を処理するように設置し、又は、
前記被処理流体を前記ハウジングと前記濾過体の側面との間の空間を通して、前記濾過体の側面から前記濾過体内へ流入させ、かつ前記濾過体の一端部又は両端部側を経由して前記ハウジングの外に流出させて前記被処理流体を処理するように設置して構成したフィルタの設置構造であって、
前記濾過体が、その表面に濾過膜が配設された一以上の流通路を区画する多孔体からなる隔壁と、前記隔壁を取り囲む円筒状の外壁と、前記隔壁、前記濾過膜及び前記外壁の端面を被覆する保護膜と、を備えたものであり、
二以上の前記フィルタが、その中心軸が水平面と平行になるような横置き又は斜め置きの状態で、鉛直方向に複数配列、設置されてなるとともに、前記濾過体に前記被処理流体が流入する前記流入経路及び前記被処理流体が流出する前記流出経路を、鉛直方向に配列、設置された前記フィルタ毎に一本の流経路に合流させたものであり、
前記濾過体が、前記シール材と当接する領域以外の部分で、且つ前記濾過体の前記保護膜が形成された部分以外の部分で、前記ハウジングとの隙間に配設された支持部材によって支持されてなることを特徴とするフィルタの設置構造。
【請求項２】
前記濾過体の、前記シール材及び前記支持部材が当接する部分の表面を、中心軸に垂直な平面で切断した断面形状が、中心軸と同心の真円でかつ同一半径となるように加工されてなる請求項１に記載のフィルタの設置構造。
【請求項３】
前記支持部材が、前記フィルタの中心軸に垂直な平面で切断した断面において、前記濾過体と前記ハウジングとの前記隙間の一部にのみ形成されてなる請求項１又は２に記載のフィルタの設置構造。
【請求項４】
前記シール材が、弾性を有する材料から形成されてなる請求項１〜３のいずれかに記載のフィルタの設置構造。
【請求項５】
前記濾過体の、前記シール材が前記濾過体及び前記ハウジングと当接する領域に、外れ防止用の凹凸形状又は先太りテーパ形状が形成されてなる請求項１〜４のいずれかに記載のフィルタの設置構造。
【請求項６】
前記シール材が、前記濾過体と一体的に形成された請求項１〜５のいずれかに記載のフィルタの設置構造。
【請求項７】
前記支持部材と、前記シール材とが接続して一体化するように構成されてなる請求項１〜５のいずれかに記載のフィルタの設置構造。
【請求項８】
前記支持部材と前記ハウジングとが一体化するように構成されてなる請求項１〜５のいずれかに記載のフィルタの設置構造。
【発明の詳細な説明】
【０００１】
【発明の属する技術分野】
本発明は、フィルタの設置構造に関する。さらに詳しくは、フィルタを横置き又は斜め置きの状態で設置することで省スペース化を実現するとともに、濾過体の荷重によるシール材の劣化を有効に防止することによりシール性を向上させたフィルタの設置構造に関する。
【０００２】
【従来の技術】
従来、水道水として用いられる原水に浄水処理を施す場合には、凝集沈殿及び塩素による殺菌・滅菌処理等が行われていたが、近年、生活水準の向上や安全性の観点から、高性能フィルタを用いた濾過処理を併用した高度浄水処理が行われることが多くなった。また、環境保護の問題が盛んに取沙汰されていることから、工場排水、家庭雑排水、集合住宅排水等についても、このようなフィルタを用いた高度浄水処理が行われることがある。
【０００３】
このような高度浄水処理等に用いられるフィルタとしては、例えば、多孔質セラミックフィルタ等を挙げることができる。この多孔質セラミックフィルタは、耐食性が高いため劣化が少なく、濾過能力を決定する気孔径の精密な制御が可能であることから高い信頼性を得ている。また、延べ濾過処理量が増えるに従い、被処理流体中に含まれる懸濁物質等がフィルタの気孔中に詰まり濾過能力が低下することがあるが、濾過体に逆洗浄や薬液洗浄を行うことで濾過能力を容易に再生することができる。
【０００４】
前述したフィルタを用いた浄水処理等においては、処理能力を増加させるためにフィルタは大型タイプのものが要求される。この場合、浄水処理設備の規模等によってもその大きさは異なるが、一般的に、長手方向が１ｍ程度のフィルタが多く用いられている。そして、その設置数も浄水処理設備の規模等によって異なるが、水道水等を処理する浄水処理設備等においては、通常、このような大型のフィルタが数百個という単位で設置されている。そのためフィルタの設置構造は非常に大型になっていた。
【０００５】
また、前述したように、これらのフィルタは再生処理を施すことで繰り返し使用可能であるが、使用に伴い濾過能力が徐々に低下することがあるために、フィルタ内部のカートリッジ（濾過体）を交換可能となるようにしておかなければならない。そのため、浄水処理設備には交換作業等を行うための空間を確保しておかなければならず、省スペース化を実現した有効なフィルタの設置構造が求められていた。
【０００６】
従来、このような浄水処理設備等においては、フィルタの中心軸が水平面に垂直となるような縦置きにして設置、配列されるフィルタの設置構造が採用されていた。
【０００７】
【発明が解決しようとする課題】
しかしながら、従来のフィルタの設置構造は設置空間を有効に活用しきれていないという問題があった。具体的には、このようなフィルタの設置構造は、フィルタの上方側の端部に開閉部を設け、この開閉部を用いてカートリッジ（濾過体）の交換等を行うため、フィルタ上方の空間を交換作業におけるメンテナンス空間として確保しておかなければならなかった。しかし、カートリッジ（濾過体）の交換等は頻繁に行うものではないため、このメンテナンス空間の利用頻度は低く、また、このメンテナンス空間がフィルタの鉛直上方という位置であるために交換作業が行われていないときの有効な活用方法が無く、従来のフィルタの設置構造においては、膨大な空間を利用せず放置しているというのが現状であった。
【０００８】
本発明は、上述の問題に鑑みてなされたものであり、フィルタを横置き又は斜め置きの状態で設置することで省スペース化を実現するとともに、濾過体の荷重によるシール材の劣化を有効に防止することによりシール性を向上させたフィルタの設置構造を提供することを目的とする。
【０００９】
【課題を解決するための手段】
上述の目的を達成するため、本発明は、以下のフィルタの設置構造を提供するものである。
【００１０】
［１］  シール材を介してハウジング内に濾過体を気密かつ液密状態で隔離して収納した二以上のフィルタを、被処理流体を前記濾過体の一端部側から前記濾過体内へ流入させ、かつ前記濾過体の側面を経由して前記ハウジングとの間に配設した流出経路から流出させて前記被処理流体を処理するように設置し、又は、前記被処理流体を前記ハウジングと前記濾過体の側面との間の空間を通して、前記濾過体の側面から前記濾過体内へ流入させ、かつ前記濾過体の一端部又は両端部側を経由して前記ハウジングの外に流出させて前記被処理流体を処理するように設置して構成したフィルタの設置構造であって、前記濾過体が、その表面に濾過膜が配設された一以上の流通路を区画する多孔体からなる隔壁と、前記隔壁を取り囲む円筒状の外壁と、前記隔壁、前記濾過膜及び前記外壁の端面を被覆する保護膜と、を備えたものであり、二以上の前記フィルタが、その中心軸が水平面と平行になるような横置き又は斜め置きの状態で、鉛直方向に複数配列、設置されてなるとともに、前記濾過体に前記被処理流体が流入する前記流入経路及び前記被処理流体が流出する前記流出経路を、鉛直方向に配列、設置された前記フィルタ毎に一本の流経路に合流させたものであり、前記濾過体が、前記シール材と当接する領域以外の部分で、且つ前記濾過体の前記保護膜が形成された部分以外の部分で、前記ハウジングとの隙間に配設された支持部材によって支持されてなることを特徴とするフィルタの設置構造。
【００１１】
［２］  前記濾過体の、前記シール材及び前記支持部材が当接する部分の表面を、中心軸に垂直な平面で切断した断面形状が、中心軸と同心の真円でかつ同一半径となるように加工されてなる前記［１］に記載のフィルタの設置構造。
【００１２】
［３］  前記支持部材が、前記フィルタの中心軸に垂直な平面で切断した断面において、前記濾過体と前記ハウジングとの前記隙間の一部にのみ形成されてなる前記［１］又は［２］に記載のフィルタの設置構造。
【００１３】
［４］  前記シール材が、弾性を有する材料から形成されてなる前記［１］〜［３］のいずれかに記載のフィルタの設置構造。
【００１４】
［５］  前記濾過体の、前記シール材が前記濾過体及び前記ハウジングと当接する領域に、外れ防止用の凹凸形状又は先太りテーパ形状が形成されてなる前記［１］〜［４］のいずれかに記載のフィルタの設置構造。
【００１５】
［６］  前記シール材が、前記濾過体と一体的に形成された前記［１］〜［５］のいずれかに記載のフィルタの設置構造。
【００１６】
［７］  前記支持部材と、前記シール材とが接続して一体化するように構成されてなる前記［１］〜［５］のいずれかに記載のフィルタの設置構造。
【００１７】
［８］  前記支持部材と前記ハウジングとが一体化するように構成されてなる前記［１］〜［５］のいずれかに記載のフィルタの設置構造。
【００２１】
【発明の実施の形態】
以下、本発明のフィルタの設置構造の実施の形態を、図面を参照しつつ具体的に説明する。
【００２２】
図１（ａ）及び（ｂ）は、本発明のフィルタの設置構造の一の実施の形態を示す説明図であって、図１（ａ）は断面図、図１（ｂ）はフィルタの一部拡大断面図である。本実施の形態のフィルタの設置構造は、シール材３を介してハウジング２内に濾過体１を気密かつ液密状態で隔離して収納したフィルタ１０の複数を、被処理流体（原水）を濾過体１の一端部側から濾過体１内へ流入させ、かつ濾過体１の側面を経由してハウジング２との間に配設した流出経路６から流出させて被処理流体（原水）を処理するように、所定パターンで配列、設置して構成したフィルタの設置構造であって、二以上のフィルタ１０が、その中心軸が水平面と平行になるような横置きの状態で、鉛直方向に複数配列、設置されてなるとともに、濾過体１に、被処理流体（原水）が流入する流入経路５及び被処理流体（原水）が流出する流出経路６を、縦方向に配列、設置されたフィルタ１０毎に一本の流経路７、８に合流させたものであり、且つ濾過体１が、シール材３と当接する領域以外の部分で、ハウジング２との隙間に配設された支持部材４によって支持されてなることを特徴とする。そして、本実施の形態のフィルタの設置構造は、濾過体が、その表面に濾過膜が配設された一以上の流通路を区画する多孔体からなる隔壁と、隔壁を取り囲む円筒状の外壁と、隔壁、濾過膜及び外壁の端面を被覆する保護膜と、を備えたものであり、この濾過体が、濾過体の保護膜が形成された部分以外の部分で、ハウジングとの隙間に配設された支持部材によって支持されてなるものである。
【００２３】
このように構成することによって、横置きの状態のフィルタの設置構造において、濾過体の荷重によるシール材の劣化を有効に防止することによりシール性を向上させることができる。
【００２５】
また、このように複数のフィルタ１０を横置きの状態で、鉛直方向に配列させて設置することによって、従来、ほとんど利用することができていなかったフィルタ鉛直上方の空間を有効に活用することができ、フィルタの設置構造の省スペース化を実現することができる。さらに、本実施の形態のフィルタの設置構造においては、濾過体１に、被処理流体（原水）が流入する流入経路５及び被処理流体（原水）が流出する流出経路６を、縦方向に配列、設置されたフィルタ１０毎に一本の流経路７、８に合流させることによってフィルタの設置構造をさらに密なものとしている。
【００２６】
また、従来のフィルタの設置構造に用いられる縦置きに配置されたフィルタを、単に横置きに設置した場合は、濾過体の外周部分に配設されたシール材が濾過体の荷重によって変形し、浄水処理前の被処理流体（原水）が流出通路６側に流入して被濾過流体を汚染してしまうことが予想される。しかしながら、本実施の形態のフィルタの設置構造においては、濾過体１は支持部材４によって支持され、シール材３は、濾過体１とハウジング２との間に圧入して配設されているために、濾過体１の荷重は支持部材４に作用し、シール材３の劣化を有効に防止するとともに、シール性を向上させることができる。また、シール材３を、弾性を有する材料から形成することによって、さらにこの効果を向上させることができる。
【００２７】
また、図１（ｂ）に示すように、フィルタ１０の一方の端部９を開閉可能とすることによって、濾過体１の交換等を容易に行うことができる。この場合、交換等の作業を行うためには、濾過体１をハウジング２から引き出すことができる広さのメンテナンス空間を確保しておかなければならない。本実施の形態のフィルタの設置構造においては、フィルタ１０が鉛直方向に複数配列した設置構造であることから、このメンテナンス空間も鉛直方向に複数配列することになるので、さらに省スペース化を実現することができる。また、このメンテナンス空間に移動可能なものを配置しておくことや、通路等として使用することもできるため、通常、利用頻度の少ないメンテナンス空間を有効に利用することができる。
【００２９】
また、濾過体１の、シール材３及び支持部材４が当接する部分の表面を、中心軸に垂直な平面で切断した断面形状が、中心軸と同心の真円でかつ同一半径となるように加工されている。このように構成することによって、フィルタの設置構造の気密性及び液密性が向上し、高精度の浄水処理を実現することができる。
【００３０】
また、このようなフィルタの設置構造において、支持部材４が、フィルタ１０の中心軸に垂直な平面で切断した断面において、濾過体１とハウジング２との隙間の一部にのみ形成されることが好ましい。これにより、濾過体１をハウジング２内への脱着が容易になり、交換作業等の簡略化を図ることができる。また、支持部材４と濾過体１との接触面積を少なくすることができるために、濾過体１の、被処理流体が流出する面積を増加させることができる。また、濾過体１に掛かる不要な背圧の上昇を防ぐことができる。
【００３１】
また、上記したように本実施の形態のフィルタの設置構造は、図２（ａ）及び（ｂ）に示すように、濾過体１が、その表面に濾過膜１１が配設された一以上の流通路１４を区画する多孔体からなる隔壁１２と、隔壁１２を取り囲む円筒状の外壁１３とを備えたものである。このように構成された濾過体１を有するフィルタとして、例えば、多孔質セラミックフィルタを挙げることができる。この多孔質セラミックフィルタは耐食性が高く劣化が少なく、濾過能力を決定する気孔径の精密な制御が可能であることから高い信頼性を得ている。また、逆洗浄や薬液洗浄を行うことで濾過能力を再生し繰り返し使用することができる。
【００３２】
そして、本実施の形態のフィルタの設置構造に用いられる多孔質セラミックフィルタには、隔壁１２の端面から流入した被処理流体（原水）が濾過膜１１を通過せずに流出通路６（図１（ａ）及び（ｂ）参照）側に流出することを防止するための、隔壁１２、濾過膜１１及び外壁１３の端面を被覆するガラス等からなる保護膜１５が形成されている。本実施の形態のフィルタの設置構造においては、この保護膜１５は外壁１３よりも強度が低いことから、濾過体１は、保護膜１５が形成された部分以外の部分で支持部材４（図１（ａ）及び（ｂ）参照）によって支持されている。このように構成することによって、保護膜１５の破損を防止することができる。
【００３３】
また、図３に示すように、本発明のフィルタの設置構造は、シール材３が、濾過体１と一体的に形成された構成としてもよい。このように構成することによって、フィルタの気密性及び液密性をさらに高度なものとすることができる。
【００３４】
また、図４（ａ）及び（ｂ）に示すように、本発明のフィルタの設置構造は、支持部材４とシール材３とが接続して一体化するような構成としてもよい。このように構成することによって、濾過体１をハウジング２内に容易に収納することが可能になるとともに、濾過体１の位置ずれ等を有効に防止することができる。また、図４（ｃ）に示すように、Ｏリング状のシール材３を支持部材４に配設することによって、支持部材４の一部で濾過体１を支持しつつ、シール材３で濾過体１と支持部材４とをシールするような構成とすることもできる。
【００３５】
さらに、図５（ａ）及び（ｂ）に示すように、本発明のフィルタの設置構造は、支持部材とハウジング２とが一体化するような構成とすることができる。このように構成することによって、濾過体１をハウジング２に装着する場合の支持部材４の位置ずれを防止し、安定したフィルタの設置構造を実現することができる。
【００３６】
また、図６（ａ）〜（ｄ）に示すように、シール材３と濾過体１及びハウジング２とが当接するそれぞれ領域に、外れ防止用の凹凸形状又は先太りテーパ形状が形成された構成とすることが好ましい。このように構成することによって、圧力や振動等によるシール材３の緩み及び外れを有効に防止することができる。
【００３７】
これまで説明したフィルタの設置構造は、図１（ａ）及び（ｂ）に示すような、フィルタ１０の中心軸が水平面と平行となるような横置き状態で鉛直方向に複数配列、設置された構成であるが、図７に示すように、図１（ａ）及び（ｂ）と同様に構成されたフィルタ１０を、斜め置きの状態で鉛直方向に複数配列、設置した構成のフィルタの設置構造としてもよい。この場合、上述した横置き状態のフィルタの設置構造と同様な効果を得ることができる。また、このような斜め置きのフィルタの設置構造は、被濾過物が多い被処理流体（原水）を処理する場合に対して特に有効である。
【００３８】
また、これまで説明したフィルタの設置構造は、図１（ａ）及び（ｂ）に示すような、被処理流体（原水）を濾過体１の一端部側から濾過体１内へ流入させ、かつ濾過体１の側面を経由してハウジング２との間に配設した流出経路６から流出させて被処理流体（原水）を処理するようなフィルタの設置構造であるが、被処理流体（原水）をハウジングと濾過体の側面との間の空間を通して、濾過体の側面から濾過体内へ流入させ、かつ濾過体の一端部又は両端部側を経由してハウジングの外に流出させて被処理流体を処理するようなフィルタの設置構造であってもよい。
【００３９】
また、これまでフィルタの設置構造に用いられるフィルタとして多孔質セラミックフィルタを用いた場合について説明したが、本発明はこれに限定されることはなく、合成樹脂やガラス樹脂等の材質から構成されたフィルタや、金属繊維を燒結させた燒結フィルタ等の様々なフィルタを用いて構成することができる。
【００４０】
さらに、これまで被処理流体が水（原水）の場合におけるフィルタの設置構造について説明してきたが、本発明のフィルタの設置構造は、薬液等の水以外の液体、又は排気ガス等の気体を浄化処理する場合においても適応可能である。
【００４１】
【実施例】
以下、本発明を実施例によってさらに具体的に説明するが、本発明はこれらの実施例によっていかなる制限を受けるものではない。
【００４２】
参考例１
本参考例においては、図８に示すようなフィルタの設置構造を形成した。濾過体１は、直径が１８０ｍｍ、軸方向の長さが１０００ｍｍの円筒状のセラミック膜から構成され、質量は５０ｋｇである。ハウジング２は、ステンレス鋼から円筒状に形成され、内周面の二箇所にプラスチック製の幅３０ｍｍの支持部材４がボルト３１によって固定されている。また、シール材３としてニトリルゴムから形成されたゴムパッキンを用いた。
【００４３】
このハウジング２の一方の端部側から濾過体１を挿入した後、シール材３を圧入して濾過体１を気密かつ液密状態で隔離して収納した。本実施例においては、支持部材４は、フィルタ１０の中心軸Ｘ−Ｘに垂直な平面で切断した断面において、濾過体１とハウジング２との隙間の一部にのみ形成されている。このように構成することによって、省スペース化を実現するとともに、濾過体の荷重によるシール材の劣化を有効に防止することによりシール性を向上させることができた。複数のフィルタを、鉛直方向に複数配列、設置することによって、さらに省スペース化を実現することができた。
【００４４】
参考例２
本参考例においては、図９に示すように、上下分割型のハウジング１６、１７を用いてフィルタの設置構造を形成した。この上下分割型のハウジング１６、１７の間に、参考例１と同様に構成された濾過体１（図８参照）と支持部材４（図８参照）とを挟み、ハウジング１６、１７をボルトで固定し、シール材３（図８参照）を圧入して濾過体１（図８参照）を気密かつ液密状態で隔離して収納した。本参考例においては、上述した参考例１と同様の機能、効果を発揮することができた。
【００４５】
参考例３
本参考例においては、図１０に示すように、シール材３（図８参照）及び支持部材４（図８参照）が当接する部分３２の表面を、中心軸Ｘ−Ｘに垂直な平面で切断した断面形状が、中心軸と同心の真円でかつ同一半径となるように加工された濾過体１８を用いて、その他は参考例１と同様に構成されたフィルタの設置構造を形成した。濾過体１８は、中心軸Ｘ−Ｘを回転軸として濾過体１８を回転させながら、回転砥石で切削することによって形成した。このように構成することによって、フィルタの設置構造の気密性及び液密性がさらに向上し、高精度の浄水処理を実現することができた。
【００４６】
参考例４
本参考例においては、図１１に示すように、外れ防止用の先太りテーパ形状３３が形成された濾過体１９を用いて、その他は参考例１と同様に構成されたフィルタの設置構造を形成した。濾過体１９は、中心軸Ｘ−Ｘを回転軸として濾過体１９を回転させながら、回転砥石で、濾過体１９とシール材３（図８参照）とが当接する領域を幅１５ｍｍ切削することによって、先太りテーパ形状３３に形成した。このように構成することによって、フィルタの設置構造の気密性及び液密性がさらに向上し、ハウジング２（図８参照）内における、振動等による濾過体１９の位置ずれを有効に防止することができた。
【００４７】
参考例５
本参考例においては、図１２に示すように、外れ防止用の凹凸形状３４が形成された濾過体２０を用いて、その他は参考例１と同様に構成されたフィルタの設置構造を形成した。濾過体２０は、中心軸Ｘ−Ｘを回転軸として濾過体１８を回転させながら回転砥石で、濾過体２０とシール材３（図８参照）とが当接する領域の一部を幅７ｍｍ切削することによって、凹凸形状３４に形成した。このように構成することによって、参考例４と同様の機能、効果を発揮することができた。
【００４８】
参考例６
本参考例においては、図１３（ａ）及び（ｂ）に示すように、支持部材２１と、シール材２２とが接続して一体化するように構成された支持部材２１及びシール材２２を用いて、その他は参考例１と同様に構成されたフィルタの設置構造を形成した。支持部材２１と、シール材２２とはエポキシ樹脂によって接着した。このように構成することによって、濾過体１（図８参照）をハウジング２（図８参照）内に容易に収納することが可能になるとともに、濾過体１（図８参照）の位置ずれ等を有効に防止することができた。
【００４９】
参考例７
本参考例においては、図１４に示すように、支持部材２３の下に、厚さ０．５ｍｍのパッキン２４としてのゴムシートを配設し、ハウジング２５の外周側からボルト３１で固定し、その他は参考例１と同様に構成されたフィルタの設置構造を形成した。このように構成することによって、参考例１と同様の機能、効果を発揮することができた。
【００５０】
参考例８
本参考例においては、図１５に示すように、支持部材２６と、ハウジング２７とがステンレス鋼によって一体化して形成し、支持部材２６に濾過体１（図８参照）を設置する際は、支持部材２６の上に可撓性のクッション２８を配設し、その他は参考例１と同様に構成されたフィルタの設置構造を形成した。このように構成することによって、参考例１と同様の作用、効果を発揮することができた。
【００５１】
実施例１
本実施例においては、図１６に示すように、濾過体２９の端面にガラスを塗布することによって保護膜３０を形成し、このように構成された濾過体２９を用いて、その他は参考例１と同様に構成されたフィルタの設置構造を形成した。この際、保護膜３０が形成された部分以外の部分で支持部材４（図８参照）によって支持された状態で設置した。このように構成することによって、上述した作用、効果の他に、フィルタの設置構造の耐久性を向上させることができた。
【００５２】
【発明の効果】
以上説明したように、本発明によって、フィルタを横置き又は斜め置きの状態で設置することで省スペース化を実現するとともに、濾過体の荷重によるシール材の劣化を有効に防止することによりシール性を向上させることができる。
【図面の簡単な説明】
【図１】  本発明のフィルタの設置構造の一の実施の形態を示す説明図であって、（ａ）は断面図、（ｂ）は一部拡大断面図である。
【図２】  本発明のフィルタの設置構造の実施の形態に用いられる濾過体を示す説明図であって、（ａ）は斜視図、（ｂ）は濾過体の流入口の平面図である。
【図３】  本発明のフィルタの設置構造の実施の形態において、濾過体とシール材とが一体化するように構成されたフィルタを示す斜視図である。
【図４】  本発明のフィルタの設置構造の実施の形態において、（ａ）〜（ｃ）は、シール材と支持部材とが一体化するように構成されたフィルタを示す断面図である。
【図５】  本発明のフィルタの設置構造の実施の形態において、（ａ）及び（ｂ）は、支持部材とハウジングとが一体化するように構成されたフィルタを示す断面図である。
【図６】  本発明のフィルタの設置構造の実施の形態において、（ａ）〜（ｄ）は、シール材と濾過体及びハウジングとが当接するそれぞれ領域に、外れ防止用の凹凸形状又は先太りテーパ形状が形成されたフィルタを示す断面図である。
【図７】  本発明のフィルタの設置構造の実施の形態において、フィルタを斜め置きの状態で鉛直方向に複数配列、設置した構成を示す断面図である。
【図８】  本発明のフィルタの設置構造の参考例１を示す斜視図である。
【図９】  本発明のフィルタの設置構造の参考例２に用いられるハウジングを示す斜視図である。
【図１０】  本発明のフィルタの設置構造の参考例３に用いられる濾過体を示す斜視図である。
【図１１】  本発明のフィルタの設置構造の参考例４に用いられる濾過体を示す斜視図である。
【図１２】  本発明のフィルタの設置構造の参考例５に用いられる濾過体を示す斜視図である。
【図１３】  本発明のフィルタの設置構造の参考例６に用いられるシール材及び支持部材を示す説明図であって、（ａ）は斜視図、（ｂ）は断面図である。
【図１４】  本発明のフィルタの設置構造の参考例７に用いられるハウジング、パッキン及び支持部材を示す断面図である。
【図１５】  本発明のフィルタの設置構造の参考例８に用いられるハウジング、及び支持部材を示す断面図である。
【図１６】  本発明のフィルタの設置構造の実施例１に用いられる濾過体を示す斜視図である。
【符号の説明】
１…濾過体、２…ハウジング、３…シール材、４…支持部材、５…流入経路、６…流出経路、７，８…流経路、９…端部、１０…フィルタ、１１…濾過膜、１２…隔壁、１３…外壁、１４…流通路、１５…保護膜、１６，１７…ハウジング、１８，１９，２０…濾過体、２１…支持部材、２２…シール材、２３…支持部材、２４…パッキン、２５…ハウジング、２６…支持部材、２７…ハウジング、２８…クッション、２９…濾過体、３０…保護膜、３１…ボルト、３２…シール材及び支持部材が当接する部分、３３…先太りテーパ形状、３４…凹凸形状。
【図１】
0003857164.tif 000002
【図２】
0003857164.tif 000003
【図３】
0003857164.tif 000004
【図４】
0003857164.tif 000005
【図５】
0003857164.tif 000006
【図６】
0003857164.tif 000007
【図７】
0003857164.tif 000008
【図８】
0003857164.tif 000009
【図９】
0003857164.tif 000010
【図１０】
0003857164.tif 000011
【図１１】
0003857164.tif 000012
【図１２】
0003857164.tif 000013
【図１３】
0003857164.tif 000014
【図１４】
0003857164.tif 000015
【図１５】
0003857164.tif 000016
【図１６】
0003857164.tif 000017